(57)【要約】【課題】発熱する電子部品を内蔵した筐体が高温になったことを知らせる。【解決手段】レンズユニット４には、撮影レンズ２１の他にＣＣＤ２２やこのＣＣＤ２２を駆動させる駆動回路が設けられている。レンズユニット４をカメラボディ３に装着し、レンズユニット４とカメラボディ３とを電気的に接続する。この時、レンズユニット４は外気温と同等かそれより低い温度なので、レンズ鏡筒６の表面６ａに設けられた感熱変色層２５は無色状態であり、レンズ鏡筒６の表面６ａは黒色（Ａ）である。デジタルカメラ２で撮影を継続すると、レンズユニット４に設けられたＣＣＤ２２は徐々に発熱する。よって、レンズ鏡筒６の温度も上昇し、レンズ鏡筒６の温度が４５℃を超えると、感温変色層２５は無色状態から有色状態となり、表面６ａの色が黒色から白色（Ｂ）に変色する。よって、ＣＣＤ２２が高温であることをユーザーに知らせることができる。【選択図】        図４
2007049370.tif 000002
【特許請求の範囲】
【請求項１】
駆動状態で発熱する電子部品を内蔵した筐体を備えた電子機器において、
前記筐体の表面に、この筐体の温度に応じて可逆変色する可逆感温変色層を備えたことを特徴とする電子機器。
【請求項２】
前記可逆感温変色層は、前記筐体の温度が設定温度より高い場合に、前記表面の色を透視することが不能となる着色状態となり、前記筐体の温度が設定温度より低い場合に、前記表面の色を透視することが可能となる無色状態または淡色状態となることを特徴とする請求項１に記載の電子機器。
【請求項３】
前記表面は、前記着色状態の前記可逆感温変色層の色よりも光の吸収性が高い色であることを特徴とする請求項２記載の電子機器。
【請求項４】
レンズ鏡筒に撮影レンズ及び固体撮像素子が内蔵され、カメラボディに着脱自在に装着されるレンズユニットにおいて、
前記レンズ鏡筒の表面に、このレンズ鏡筒の温度に応じて可逆変色する可逆感温変色層を備えたことを特徴とするレンズユニット。
【請求項５】
前記可逆感温変色層は、前記レンズ鏡筒の温度が設定温度より高い場合に、前記表面の色を透視することが不能となる着色状態となり、前記レンズ鏡筒の温度が設定温度より低い場合に、前記表面の色を透視することが可能となる無色状態または淡色状態となることを特徴とする請求項４に記載のレンズユニット。
【請求項６】
前記表面は、前記着色状態の前記可逆感温変色層の色よりも光の吸収性が高い色であることを特徴とする請求項５記載のレンズユニット。
【請求項７】
撮影レンズと、この撮影レンズによって結像された被写体像を撮像する固体撮像素子とをカメラボディに内蔵したデジタルカメラにおいて、
前記カメラボディの表面に、このカメラボディの温度に応じて可逆変色する可逆感温変色層を備えたことを特徴とするデジタルカメラ。
【請求項８】
前記可逆感温変色層は、前記カメラボディの温度が設定温度より高い場合に、前記表面の色を透視することが不能となる着色状態となり、前記筐体の温度が設定温度より低い場合に、前記表面の色を透視することが可能となる無色状態または淡色状態となることを特徴とする請求項７に記載のデジタルカメラ。
【請求項９】
前記表面は、前記着色状態の前記可逆感温変色層の色よりも光の吸収性が高い色であることを特徴とする請求項８記載のデジタルカメラ。
【発明の詳細な説明】
【技術分野】
【０００１】
本発明は、発熱する電子部品を内蔵した筐体を備えた電子機器、レンズユニット及びデジタルカメラに関するものである。
【背景技術】
【０００２】
ＣＣＤなどの撮像素子を用いて撮像した撮影画像をデジタルの画像データに変換し、内蔵メモリやメモリカードなどの記録媒体に記録するデジタルカメラが普及している。近年、デジタルカメラの中には、撮影レンズを保持するレンズ鏡筒がカメラボディに一体化された一体型のものと、撮影レンズを保持したレンズ鏡筒をカメラボディに着脱可能にされたレンズ交換型のものとがある。一体型のデジタルカメラでは、撮影レンズを始め、撮像素子などの各種電子部品がカメラボディに内蔵されている。レンズ交換型のデジタルカメラは、従来のカメラボディ側に各種電子部品を内蔵し、レンズ鏡筒とカメラボディとを光学的に接続するものと、レンズ鏡筒に撮像素子やこの撮像素子を駆動させる駆動回路などを内蔵させ、レンズ鏡筒とカメラボディとを電気的に接続させるものとがある。レンズ鏡筒とカメラボディとを電気的に接続するレンズ交換型のデジタルカメラでは、レンズ鏡筒とカメラボディとを光学的に接続する必要がなくなり、構造を比較的簡易にすることができるという利点を得ることができる。
【０００３】
上記のような各種デジタルカメラで撮影が行われると、撮像素子やカメラ全体を制御するＣＰＵが駆動状態で発熱する。これにより、撮像素子やＣＰＵを内蔵したカメラボディまたはレンズ鏡筒内の温度も上昇する。例えば、撮像素子の温度が上昇すると、撮影時に撮像素子から出力される暗電流が増加し、黒レベルが基準値より上昇する。その結果、撮像素子から得られる画像のＳ／Ｎ（Signal／Noise）比が悪化するので画質が劣化する。そのため、特許文献１では、撮像素子を冷却する冷却ユニットをデジタルカメラに着脱自在に設け、冷却ユニットを必要な時に装着することで、良好な画像を撮影できるデジタルカメラが提供されている。
【０００４】
【特許文献１】特開平２００３−３０４４２０号公報
【発明の開示】
【発明が解決しようとする課題】
【０００５】
しかしながら、特許文献１では、デジタルカメラとは別体で冷却ユニットを設ける必要があるのでコストがかかる。さらに、デジタルカメラとは別に冷却ユニットを携帯し、必要に応じて冷却ユニットをデジタルカメラに着脱させなければならない煩わしさがある。
【０００６】
本発明は、上記問題を解決するためになされたものであり、発熱する電子部品を内蔵した筐体が高温になったことを知らせ、注意を促すことを目的とする。
【課題を解決するための手段】
【０００７】
上記目的を達成するために、本発明の電子機器は、駆動状態で発熱する電子部品を内蔵した筐体を備えた電子機器において、前記筐体の表面に、この筐体の温度に応じて可逆変色する可逆感温変色層を備えたことを特徴とするものである。また、前記可逆感温変色層は、前記筐体の温度が設定温度より高い場合に、前記表面の色を透視することが不能となる着色状態となり、前記筐体の温度が設定温度より低い場合に、前記表面の色を透視することが可能となる無色状態または淡色状態となることが好ましい。また、前記表面は、前記着色状態の前記可逆感温変色層の色よりも光の吸収性が高い色であることが好ましい。
【０００８】
また、本発明のレンズユニットは、レンズ鏡筒に撮影レンズ及び固体撮像素子が内蔵され、カメラボディに着脱自在に装着されるレンズユニットにおいて、レンズ鏡筒の表面に、このレンズ鏡筒の温度に応じて可逆変色する可逆感温変色層を備えたことを特徴とするものである。また、前記可逆感温変色層は、前記レンズ鏡筒の温度が設定温度より高い場合に、前記表面の色を透視することが不能となる着色状態となり、前記レンズ鏡筒の温度が設定温度より低い場合に、前記表面の色を透視することが可能となる無色状態または淡色状態となることが好ましい。また、前記表面は、前記着色状態の前記可逆感温変色層の色よりも光の吸収性が高い色であることが好ましい。
【０００９】
また、本発明のデジタルカメラは、撮影レンズと、この撮影レンズによって結像された被写体像を撮像する固体撮像素子とをカメラボディに内蔵したデジタルカメラにおいて、
前記カメラボディの表面に、このカメラボディの温度に応じて可逆変色する可逆感温変色層を備えたことを特徴とするものである。また、前記可逆感温変色層は、前記カメラボディの温度が設定温度より高い場合に、前記表面の色を透視することが不能となる着色状態となり、前記筐体の温度が設定温度より低い場合に、前記表面の色を透視することが可能となる無色状態または淡色状態となることが好ましい。また、前記表面は、前記着色状態の前記可逆感温変色層の色よりも光の吸収性が高い色であることが好ましい。
【発明の効果】
【００１０】
本発明の電子機器では、駆動状態で発熱する電子部品を内蔵した筐体の表面に、この筐体の温度に応じて可逆変色する可逆感温変色層を備えたので、筐体が高温となったことをユーザーに知らせ、ユーザーに注意を促すことができる。従って、ユーザーは筐体の温度に注意しながら電子機器を使用するので、電子部品の性能が劣化することはない。また、可逆感温変色層は、筐体の温度が設定温度より高い場合に、表面の色を透視することが不能となる着色状態となり、筐体の温度が設定温度より低い場合に、表面の色を透視することが可能となる無色状態または淡色状態となるので、電子機器のデザイン性も向上する。また、表面は、着色状態の可逆感温変色層の色よりも光の吸収性が高い色であるので、高温状態の筐体に日光などが当たっても、光が吸収されにくい。よって、筐体の温度上昇が緩和される。
【００１１】
また、本発明のレンズユニットでは、レンズ鏡筒に撮影レンズ及び固体撮像素子が内蔵され、カメラボディに着脱自在に装着されるレンズ鏡筒の表面に、このレンズ鏡筒の温度に応じて可逆変色する可逆感温変色層を備えたので、レンズ鏡筒が高温となったことをユーザーに知らせ、ユーザーに注意を促すことができる。従って、ユーザーはレンズ鏡筒に内蔵された固体撮像素子や駆動回路が高温になることによって性能が劣化することを防止できる。また、逆感温変色層は、レンズ鏡筒の温度が設定温度より高い場合に、表面の色を透視することが不能となる着色状態となり、レンズ鏡筒の温度が設定温度より低い場合に、表面の色を透視することが可能となる無色状態または淡色状態となるので、レンズ鏡筒のデザイン性も向上する。また、レンズ鏡筒の表面は、着色状態の可逆感温変色層の色よりも光の吸収性が高い色なので、高温状態のレンズ鏡筒に日光などが当たっても、光が吸収されにくい。よって、レンズ鏡筒の温度上昇が緩和される。
【００１２】
また、本発明のデジタルカメラは、撮影レンズと、この撮影レンズによって結像された被写体像を撮像する固体撮像素子とを内蔵したカメラボディの表面に、このカメラボディの温度に応じて可逆変色する可逆感温変色層を備えたので、カメラボディが高温となったことをユーザーに知らせ、ユーザーに注意を促すことができる。従って、ユーザーはカメラボディに内蔵された固体撮像素子や駆動回路が高温になることによって性能が劣化することを防止できる。また、可逆感温変色層は、カメラボディの温度が設定温度より高い場合に、表面の色を透視することが不能となる着色状態となり、筐体の温度が設定温度より低い場合に、表面の色を透視することが可能となる無色状態または淡色状態となるので、カメラボディのデザイン性も向上する。また、カメラボディの表面は、着色状態の可逆感温変色層の色よりも光の吸収性が高い色なので、高温状態のカメラボディに日光などが当たっても、光が吸収されにくい。よって、カメラボディの温度上昇が緩和される。
【発明を実施するための最良の形態】
【００１３】
以下、図面を参照して本発明を適用したデジタルカメラについて説明する。図１及び図２に示すように、デジタルカメラ２は、カメラボディ３とレンズユニット４とから構成される。カメラボディ３にはレンズユニット４が着脱自在であり、装着時にはカメラボディ３とレンズユニット４とが電気的に接続される。なお、図１は、レンズユニット４をカメラボディ３に装着した状態を、図２は、レンズユニット４を取り外した状態を示す。
【００１４】
レンズユニット４は、レンズ鏡筒６、及びレンズ側マウント部８とからなり、後端部に位置するレンズ側マウント部８には、バヨネット爪９が形成されている。このバヨネット爪９には接続端子９ａ（図４参照）が設けられている。カメラボディ３の前面に設けられたボディ側マウント部１０には、バヨネット溝１１が形成されている。さらに、ボディ側マウント部１０の内側には、図示しないコイルバネによって前方に付勢されたマウント蓋１２が設けられており、レンズユニット４の非装着時におけるカメラボディ３内部への塵埃の侵入を防止する。
【００１５】
レンズユニット４をカメラボディ３に装着する際には、バヨネット爪９をバヨネット溝１１に合わせた状態でマウント蓋１２を押し込んでから回転させる。レンズユニット４を所定角度回転させるとボディ側マウント部１０のロックピン１３がレンズ側マウント部８の図示しないピン孔と係合してレンズユニット４が位置決めされてボディ側マウント部１０に装着される。また、レンズユニット４の位置決めに伴ってレンズ側マウント部８の接続端子９ａがボディ側マウント部１０の接続端子１０ａ（図４参照）に接続される。
【００１６】
ボディ側マウント部１０の近傍には、ロックピン１３と連動するロック解除ボタン１４が設けられている。ロック解除ボタン１４は、レンズユニット４を取り外す際に操作されるものであり、押圧操作することによってロックピン１３を後方に移動させてロックを解除することができる。
【００１７】
カメラボディ３の上面には、撮影時に押圧操作されるレリーズボタン１６と、撮影／再生モードの切替え時に操作されるモード操作部１７とが設けられている。また、カメラボディ３の前面には、ストロボ１８が設けられ、背面には、撮影画像や各種設定条件が表示されるＬＣＤ４８（図４参照）と、電源スイッチ５３（図４参照）とが設けられている。
【００１８】
レンズユニット４は、レンズ鏡筒６、撮影レンズ２１、ＣＣＤ２２、レンズ側マウント部８などから構成されている。レンズ鏡筒６は、樹脂によって形成されており、その前端部には撮影レンズ２１が露呈して保持されている。レンズ鏡筒６の内部には、ＣＣＤ２２，及びこのＣＣＤ２２を駆動させるための駆動回路が設けられた回路基板が組み込まれており、これらＣＣＤ２２や回路基板の後で、レンズ鏡筒６の後端部にはレンズ側マウント部８が組み付けられている。
【００１９】
図３に示すように、黒色の樹脂で形成されたレンズ鏡筒６の表面６ａには、感温変色層２５が形成されている。感温変色層２５は、マイクロカプセル膜２６に被包された熱変色性材料２７がバインダー２８の内部で分散されたものをレンズ鏡筒６の表面６ａに塗布して積層し、硬化させたものである。この感温変色層２５の厚みとしては、１０μｍ程度が好ましいが、これに限るものではない。
【００２０】
熱変色材料２７は、少なくとも熱性高分子ゲル３０、及び液体３１を含有している。熱性高分子ゲル３０は、熱の付与によって液体３１を吸収、放出して体積変化（膨張、収縮）をするものである。本発明の熱性高分子ゲル３０の体積は、可逆的に変化する。例えば、熱性高分子ゲル３０としては、ある温度以上で疎水性相互作用によって凝集し水溶液中から析出してくる性質を持つＬＣＳＴ（下限臨界共融温度）をもつ高分子の架橋体である。ＬＣＳＴをもつ高分子の熱性高分子ゲル３０は、所定温度より高温で収縮し、低温で膨張する。なお、ＵＣＳＴ（上限臨界共融温度）をもつ高分子の架橋体や、互いに水素結合する２成分の高分子ゲルのＩＰＮ（相互侵入網目構造体）、結晶性などの凝集性の側鎖を持つ高分子ゲルなどを用いてもよい。ＵＣＳＴをもつ熱性高分子ゲルは、所定温度より高温で膨張し、低温で収縮する。
【００２１】
熱性高分子ゲル３０の化合物としては、ポリＮ−イソプロピルアクリルアミドなどの〔Ｎ−アルキル置換（メタ）アクリルアミド〕の架橋体やＮ−アルキル置換（メタ）アクリルアミドと（メタ）アクリル酸の共重合体およびその塩、または（メタ）アクリルアミド、または（メタ）アクリル酸アルキルエステルなどの２成分以上の共重合体の架橋体、ポリビニルメチルエーテルの架橋物、メチルセルロース、エチルセルロース、ヒドロキシプロピルセルロースなどのアルキル置換セルロース誘導体の架橋体などが挙げられる。Ｎ−アルキル置換（メタ）アクリルアミドの架橋体が、耐候性，体積変化特性の観点から、好ましくは、例えば、Ｎ−アルキル置換（メタ）アクリルアミドの架橋体やＮ−アルキル置換（メタ）アクリルアミドと（メタ）アクリル酸の共重合体およびその塩の架橋体であり、中でも、Ｎ−アルキル置換（メタ）アクリルアミドの架橋体が好ましく、特に、ポリＮ−イソプロピル（メタ）アクリルアミドは好ましい。
【００２２】
熱性高分子ゲル３０の体積変化を示す温度（相転移温度）としては、熱性高分子ゲル３０の構造、組成により種々の設計が可能である。本実施形態としては、相転移温度は、４０〜４５℃の範囲が好ましい。また、熱性高分子ゲル３０の体積変化量は、例えば、膨潤時及び収縮時の体積比が１５以上であることが好ましい。なお、体積比はこれに限るものではない。さらに、熱性高分子ゲル３０中には、光安定化機能を持つビンダードフェーノル系の化合物が、熱性高分子ゲル３０の特性を損なわない範囲で結合されている。なお、熱性高分子ゲル３０の特性を損なわない範囲ならば、紫外線吸収剤、光安定剤など、種々の安定剤を結合させてもよい。
【００２３】
熱性高分子ゲル３０が吸収、放出する液体３１としては、水、各種有機溶剤、及びこれら２種類以上の混合物のいずれかが用いられている。さらに、この液体３１には、白色の顔料が添加されている。白色の顔料としては、例えば、酸化チタンなどの金属酸化物が用いられるが、これに限るものではない。
【００２４】
マイクロカプセル膜２６は、光透過性を有しており、マイクロカプセル膜２６内の液体３１の蒸発を防ぐために無機材料で形成されている。なお、マイクロカプセル膜２６は、各種高分子を含ませてもよく、公知のマイクロカプセル法、あるいはマイクロカプセル製造方法によって、熱変色性部材２７をカプセル膜２６に被包する。
【００２５】
バインダー２８は、光透過性の高い各種高分子材料やセラミック、ガラスなどの無機材料が用いられている。バインダー２８は、その内部でマイクロカプセル膜２６に被包された熱変色材料２７を分散させる、及びレンズ鏡筒６の表面６ａに塗布するために液状である。バインダー２８には、調光用材料、安定剤、抗菌剤、酸化防止剤などを添加することが好ましい。また、熱変色性材料２７を均一に分散させるために界面活性剤などの分散安定剤を添加することも好ましい。また、塗布方法に応じて粘土を調整するための増粘剤等の粘土調整剤を添加してもよい。
【００２６】
レンズ鏡筒６の表面６ａに設けられた感温変色層２５は、レンズ鏡筒６の温度が４０℃以下ではほぼ無色状態となり、表面６ａはレンズ鏡筒６を形成する樹脂の色である黒色（図４（Ａ）参照）となる。また、レンズ鏡筒６の温度が４５℃より高くなった場合には、感温変色層２５は着色状態となり、表面６ａは白色（図４（Ｂ）参照）となる。
【００２７】
図５にデジタルカメラ２の電気的構成を示す。撮影レンズ２１の後方には、ＣＣＤ２２が配置されており、ＣＣＤ２２の前方には、シャッタ機構や、絞り機構（図示せず）などが配置されている。
【００２８】
ＣＣＤ２２は、ＣＣＤドライバ３５に接続されており、ＣＣＤドライバ３５を介してレンズ側システム制御部３６（以下、システム制御部３６）によって駆動を制御される。ＣＣＤ２２は、光学的な被写体画像を電気的な撮像信号に変換して出力する。撮像信号はアンプ３８で適当なレベルに増幅された後、Ａ／Ｄ変換回路３９によってデジタル変換されて画像データとなる。この画像データは、シリアルドライバ４０を介してカメラボディ３側へと送信される。レンズ側システム制御部３６では、カメラ側システム制御部４１（以下、システム制御部４１）からの指令に基づいてレンズユニット４側の撮影処理を管制している。レンズユニット４では、ＣＣＤ２２や、システム制御部３６に設けられたＣＰＵ（図示せず）が駆動状態となることで発熱する。
【００２９】
レンズユニット４からの画像データは、シリアルドライバ４２，４３を介してメモリ４５に書き込まれる。信号処理部４６は、メモリ４５から画像データを読み出し、階調変換、ホワイトバランス補正、Γ補正等の各種画像処理を施す。画像処理が施された画像データはＬＣＤドライバ４７へ入力され、ＬＣＤ４８に画像として表示される。撮影された画像はＬＣＤ４８にスルー画として表示される。モード操作部１７を操作して再生モードに設定すると、記録メディア５１に記録した画像をＬＣＤ４８に表示したり、撮影設定条件をＬＣＤ４８に表示することができる。
【００３０】
レリーズボタン１６が押圧操作されたときには、メディアコントローラ５０の制御によって、画像処理が施された画像データが記録メディア５１に記録される。また、レリーズボタン１６が押圧操作されると、撮影環境からの光量に応じてストロボ１８が駆動される。システム制御部４１は、システム制御部３６に指令を送るとともに、カメラボディ３側の撮影処理、画像表示処理、記録処理等を管制している。システム制御部４１には、レリーズボタン１６、モード操作部１７、電源スイッチ２３が接続されている。
【００３１】
上記構成による作用について説明する。レンズユニット４をカメラボディ３に装着すると、レンズユニット４とカメラボディ３とが電気的に接続される。撮影モードを選択すると、レンズユニット４及びカメラボディ３に内蔵された各部が起動状態となる。この時、レンズユニット４は外気温と同等かそれより低い温度なので、図４（Ａ）に示すように、レンズ鏡筒６の表面６ａは黒色となっている。そして、デジタルカメラ２の撮影を継続しているうちに、レンズユニット４に内蔵されたＣＣＤ２２やＣＰＵは徐々に発熱する。これにより、レンズ鏡筒６の温度も上昇する。レンズ鏡筒６の温度が４５℃を超えると、感温変色層２５は無色状態から着色状態となり、図４（Ｂ）に示すように、黒色のレンズ鏡筒６が白色に変色する。これにより、ユーザーはＣＣＤ２２の温度が上昇していることが分かるので、レンズユニット４を交換したり、デジタルカメラ２の電源をこまめにオン、オフしたりすることで、ＣＣＤ２２の温度の上昇を抑えることができる。従って、熱によるＣＣＤ２２の画質が劣化するのを防ぐことができる。また、レンズ鏡筒６の表面６ａの色が変わるので、デザイン性も向上する。
【００３２】
また、レンズ鏡筒６の温度が４５℃より高い場合にレンズ鏡筒６が白色となることで、野外撮影などでデジタルカメラ２に直射日光が当たっても、白色のレンズ鏡筒６は光を拡散する。従って、レンズ鏡筒６に熱が蓄積され難い。これにより、直射日光によってレンズユニット４の温度が上昇することを抑えることができる。
【００３３】
なお、レンズ鏡筒６の表面６ａに設けられた感温変色層２５の上に保護膜を設けても良い。この保護膜としては、紫外線遮蔽膜、赤外線遮蔽膜、汚染防止膜、帯電防止膜、磨耗防止膜、蒸発防止膜などを設ける。
【００３４】
また、上記実施形態では、バインダー２８の内部にマイクロカプセル膜２６に被包された熱変色材料２７を分散させたものをレンズ鏡筒６の表面６ａに塗布し、硬化させて感温変色層２５を形成したが、これに代えて、例えば、ポリエステル、シリコーン系樹脂、エポキシ系樹脂などの高分子のフィルムに感熱変色層２５を形成し、このフィルムをレンズ鏡筒６の表面６ａに貼着してもよい。
【００３５】
また、上記実施形態では、ＬＣＳＴをもつ高分子の熱性高分子ゲル３０を用いたが、ＵＣＳＴをもつ高分子ゲル３０を用いてもよい。この場合は、感温変色層２５は、所定温度より高温で無色状態となり、低温で着色状態となる。そのため、レンズ鏡筒６の下地を白色にし、液体３１に添加する顔料を黒色にする。
【００３６】
また、本実施形態では、マイクロカプセル膜２６に熱性高分子ゲル３０及び液体３１からなる熱変色性材料２７を被包したが、これに代えて、感温液晶をマイクロカプセル化し、これにバインダー２８を添加したものを塗布、硬化させることにより感温変色層を形成してもよい。感温液晶としては、例えばコレステリック液晶またはカイラルネマテティック液晶が用いられる。これらの液晶は、光が入射するとその構造の特異性に起因して特定の波長範囲の光のみをその内部の層で反射し、他の波長の光は透過するという特性を有している。また、これらの液晶は、温度等の変化により内部構造が変化して、光の反射特性、すなわち発色特性が変化するという性質を有するものである。
【００３７】
上記実施形態では、レンズユニット４が着脱自在なレンズ交換式のデジタルカメラ２を用いて説明を行ったが、図６に示す撮影レンズ２１及びＣＣＤ２２などがカメラボディ３に内蔵された一体型のデジタルカメラ６０に本発明を適用しても良い。この場合、デジタルカメラ６０のレンズ鏡筒６１及びカメラボディ６２の表面に感温変色層２５を設ける。図６（Ａ）に示すように、レンズ鏡筒６１及びカメラボディ６２は、その表面の色である黒色をしている。カメラボディ６２に内蔵されたＣＣＤ２２及びＣＰＵなどが駆動し、カメラボディ６２の温度が４５℃より高くなると、感温変色層２５は無色状態から着色状態になる。これにより、図６（Ｂ）に示すように、カメラボディ６２は黒色から白色になる。
【００３８】
なお、上記実施形態では、レンズ鏡筒６が設定温度より高温の場合には、レンズ鏡筒の表面が黒色となり、設定温度より低温の場合には白色となったが、これに限らず、設定温度より高温の場合には光を吸収し難い色となり、設定温度より低温の場合には光を吸収し易い色となることが好ましい。これにより、レンズ鏡筒６のデザイン性も向上する。
【００３９】
また、上記実施形態では、デジタルカメラ２を用いて説明したが、これに限らず、駆動状態で発熱する電子部品を内蔵した電子機器、例えば、パソコン、テレビ、ステレオ、ラジカセ等に本発明を適用してもよい。
【図面の簡単な説明】
【００４０】
【図１】本発明を実施したデジタルカメラでレンズユニットを装着状態としたときの外観斜視図である。
【図２】レンズユニットを取外した状態のときの外観斜視図である。
【図３】感温変色層の構成を示す断面図である。
【図４】レンズ鏡筒の色の変化を示す説明図である。
【図５】本発明を適用したデジタルカメラの電気的構成を示すブロック図である。
【図６】カメラボディの色の変化を示す説明図である。
【符号の説明】
【００４１】
２  デジタルカメラ
３  カメラボディ
４  レンズユニット
６  レンズ鏡筒
６ａ  表面
２２  ＣＣＤ
２５  感熱変色層
２６  マイクロカプセル膜
２７  熱変色性材料
２８  バインダー
３０  熱性高分子ゲル
３１  液体
【図１】
2007049370.tif 000003
【図２】
2007049370.tif 000004
【図３】
2007049370.tif 000005
【図４】
2007049370.tif 000006
【図５】
2007049370.tif 000007
【図６】
2007049370.tif 000008